(57)【特許請求の範囲】
【請求項１】
記録材を給紙、搬送する給紙搬送手段と、現像された画像を転写した記録材を加熱、加圧することにより画像を定着させる定着装置とを備えた画像形成装置において、
前記給紙搬送手段により給紙、搬送される記録材の表面に光を照射する光照射手段と、
前記光照射手段による光照射領域からの乱反射光を受光し正反射光を受光しない位置に配置された受光部を含み前記受光部により受光した受光光量に応じた情報を出力する複数の光電変換素子と、
前記複数の光電変換素子の出力が所定値よりも小さいか否かで、前記給紙搬送手段により給紙、搬送される記録材がＯＨＴシートか否かを判定する第１判定手段と、
前記複数の光電変換素子から出力された情報に基づいて、前記複数の光電変換素子により出力された情報が示す映像のコントラストを演算する演算手段と、
前記複数の光電変換素子の出力が所定値よりも小さいことで前記第１判定手段により前記給紙搬送手段により給紙、搬送された記録材がＯＨＴシートであると判定された記録材に対して、前記演算手段で演算したコントラストの幅がインクジェット用ＯＨＴシートとみなす為の閾値未満であるレーザビームプリンタ用ＯＨＴシートに対応したものであるか、前記コントラストの幅が前記閾値以上であるインクジェット用ＯＨＴシートに対応したものであるかを判定する第２判定手段と、
前記第２判定手段が、前記演算されたコントラストが前記レーザビームプリンタ用ＯＨＴシートに対応したものであると判定した場合には、前記レーザビームプリンタ用ＯＨＴシートに応じた定着温度設定を行い、
前記第２判定手段が、前記演算されたコントラストが前記インクジェット用ＯＨＴシートに対応したものであると判定した場合には、前記給紙搬送手段による前記定着装置への記録材の搬送を停止させるように制御する制御手段とを備えたことを特徴とする画像形成装置。
【請求項２】
記録材を給紙、搬送する給紙搬送手段と、現像された画像を転写した記録材を加熱、加圧することにより画像を定着させる定着装置とを備えた画像形成装置において、
前記給紙搬送手段により給紙、搬送される記録材の表面に光を照射する光照射手段と、
前記光照射手段による光照射領域からの乱反射光を受光し正反射光を受光しない位置に配置された受光部を含み前記受光部により受光した受光光量に応じた情報を出力する複数の光電変換素子と、
前記複数の光電変換素子の出力が所定値よりも小さいか否かで、前記給紙搬送手段により給紙、搬送される記録材がＯＨＴシートか否かを判定する第１判定手段と、
前記複数の光電変換素子から出力された情報に基づいて、前記複数の光電変換素子により出力された情報が示す映像のコントラストを演算する演算手段と、
前記複数の光電変換素子の出力が所定値よりも小さいことで前記第１判定手段により前記給紙搬送手段により給紙、搬送された記録材がＯＨＴシートであると判定された記録材に対して、前記演算手段で演算したコントラストの幅がインクジェット用ＯＨＴシートとみなす為の閾値未満であるレーザビームプリンタ用ＯＨＴシートに対応したものであるか、前記コントラストの幅が前記閾値以上であるインクジェット用ＯＨＴシートに対応したものであるかを判定する第２判定手段と、
前記第２判定手段が、前記演算されたコントラストが前記レーザビームプリンタ用ＯＨＴシートに対応したものであると判定した場合には、前記レーザビームプリンタ用ＯＨＴシートに応じた定着温度設定を行い、
前記第２判定手段が、前記演算されたコントラストが前記インクジェット用ＯＨＴシートに対応したものであると判定した場合には、前記定着装置の加熱を停止させるか、または通常定着時より加熱温度を下げるように制御する制御手段とを備えたことを特徴とする画像形成装置。
【請求項３】
請求項１又は２に記載の画像形成装置において、
前記第１判定手段により前記給紙搬送手段により給紙、搬送される記録材がＯＨＴシートであると判定した場合に、前記複数の光電変換素子からのアナログ出力のゲインを調整することを特徴とする画像形成装置。
【請求項４】
請求項１ないし３のいずれか１項に記載の画像形成装置において、
報知手段を備え、前記第２判定手段による判定の結果、前記演算手段で演算したコントラストが前記第２の範囲に含まれる前記インクジェット用ＯＨＴシートに対応したものであると判定した場合には、前記報知手段により規定外の記録材が用いられている旨の報知をすることを特徴とする画像形成装置。
【請求項５】
請求項１ないし４のいずれか１項に記載の画像形成装置において、
前記光照射手段により記録材に対し照射された光の前記記録材の表面の光照射領域内からの反射光を集光して前記複数の光電変換素子に結像させる集光レンズを備えたことを特徴とする画像形成装置。
【請求項６】
請求項１ないし５のいずれか１項に記載の画像形成装置において、
前記複数の光電変換素子は、複数の画素を有し画素毎のアナログ信号を出力するＣＣＤセンサ或いはＣＭＯＳセンサであり、前記ＣＣＤセンサ或いは前記ＣＭＯＳセンサから出力されたアナログ信号を１画素に対し複数のビットのデジタル信号に変換する変換回路を備えていることを特徴とする画像形成装置。
【発明の詳細な説明】
【技術分野】
【０００１】
本発明は、複写機、レーザープリンタ等の画像形成装置に関し、特に規定外の記録材を通紙した際の処理に関するものである。
【背景技術】
【０００２】
複写機、レーザープリンタ等の画像形成装置は、感光体上に現像された画像を記録材に転写し、画像を転写した記録材を所定の定着処理条件にて加熱及び加圧することにより画像を定着させる定着装置を備えている。
【０００３】
従来、かかる画像形成装置においては、記録紙にＯＨＴシート（Ｏｖｅｒｈｅａｄ  Ｔｒａｎｓｐａｒｅｎｃｙ  Ｆｉｌｍ、ＯＨＰフィルムともいう）が使用できる場合には、画像形成装置内部に備えられた透過型のセンサによって記録紙がＯＨＴシートであるか否かを自動検知し、記録紙に光が透過した場合はＯＨＴシートと判定し、記録紙に光が透過しない場合は普通紙と判定し、その判定結果に応じて定着温度或いは記録紙の定着速度を設定するよう制御がなされる。
【０００４】
つまり、ＯＨＴシートでは、透過性を向上させるために現像剤の定着性を上げる必要がある。このため定着温度を上げるか或いは記録紙が定着装置を通過する速度を遅くする制御を行っている。
【０００５】
なお、ＯＨＴを判別する従来例を示す文献としては下記特許文献１がある。
【特許文献１】特開２００３−３０２２０８５号公報
【発明の開示】
【発明が解決しようとする課題】
【０００６】
一般的なインクジェット用ＯＨＴシートは、インクの定着性を向上するためにＯＨＴシート表面に定着剤が塗布されている。
【０００７】
従来、複写機、レーザープリンタ等においては、前記のようなインクジェット用ＯＨＴシートをユーザが誤って通紙すると、インクジェット用のＯＨＴシートの表面に塗布された定着剤が、加熱された定着装置によって溶かされ、定着ローラ表面に付着し、ＯＨＴシートが定着ローラに巻きついて排紙遅延ジャムとなるばかりでなく、最悪、定着装置の定着ローラにＯＨＴシートが巻きつくことによって、定着ローラガイドの破損や、定着ローラ自体の破壊をもたらすといった問題があった。
【０００８】
また、定着ローラにＯＨＴシートが巻きつかなかった場合においても定着ローラの表面に付着した定着剤によって、次に通紙された記録紙上に定着剤が付着して、画像が劣化するといった問題があった。
【０００９】
一方、従来の画像装置が備えるＯＨＴシート判別用の透過型センサでは、普通紙とＯＨＴシートは判別できるものの前記のような定着剤の有無は検出できない。
【００１０】
したがって、万が一ユーザが誤ってインクジェット用ＯＨＴシートを画像形成装置に通紙してしまうと、通常のＯＨＴシートモードで定着条件が設定されて印字され、ユーザは誤った記録紙をセットしたことに気づかず、理由が判らないままに装置が故障するといった深刻な問題となっていた。
【００１１】
本発明は、このような状況のもとでなされたもので、ユーザが誤って規定外であるインクジェット用ＯＨＴシートなどを通紙した場合に生じる定着ローラへのＯＨＴシート巻きつきや記録紙上の画像劣化の問題を解決できる、信頼性の高い画像形成装置を提供することを課題とするものである。
【課題を解決するための手段】
【００１２】
前記課題を解決するため、本発明は、以下の構成を備える。
【００１３】
（１）記録材を給紙、搬送する給紙搬送手段と、現像された画像を転写した記録材を加熱、加圧することにより画像を定着させる定着装置とを備えた画像形成装置において、前記給紙搬送手段により給紙、搬送される記録材の表面に光を照射する光照射手段と、前記光照射手段による光照射領域からの乱反射光を受光し正反射光を受光しない位置に配置された受光部を含み前記受光部により受光した受光光量に応じた情報を出力する複数の光電変換素子と、前記複数の光電変換素子の出力が所定値よりも小さいか否かで、前記給紙搬送手段により給紙、搬送される記録材がＯＨＴシートか否かを判定する第１判定手段と、前記複数の光電変換素子から出力された情報に基づいて、前記複数の光電変換素子により出力された情報が示す映像のコントラストを演算する演算手段と、前記複数の光電変換素子の出力が所定値よりも小さいことで前記第１判定手段により前記給紙搬送手段により給紙、搬送された記録材がＯＨＴシートであると判定された記録材に対して、前記演算手段で演算したコントラストの幅がインクジェット用ＯＨＴシートとみなす為の閾値未満であるレーザビームプリンタ用ＯＨＴシートに対応したものであるか、前記コントラストの幅が前記閾値以上であるインクジェット用ＯＨＴシートに対応したものであるかを判定する第２判定手段と、前記第２判定手段が、前記演算されたコントラストが前記レーザビームプリンタ用ＯＨＴシートに対応したものであると判定した場合には、前記レーザビームプリンタ用ＯＨＴシートに応じた定着温度設定を行い、前記第２判定手段が、前記演算されたコントラストが前記インクジェット用ＯＨＴシートに対応したものであると判定した場合には、前記給紙搬送手段による前記定着装置への記録材の搬送を停止させるように制御する制御手段とを備えたことを特徴とする画像形成装置。
（２）記録材を給紙、搬送する給紙搬送手段と、現像された画像を転写した記録材を加熱、加圧することにより画像を定着させる定着装置とを備えた画像形成装置において、前記給紙搬送手段により給紙、搬送される記録材の表面に光を照射する光照射手段と、前記光照射手段による光照射領域からの乱反射光を受光し正反射光を受光しない位置に配置された受光部を含み前記受光部により受光した受光光量に応じた情報を出力する複数の光電変換素子と、前記複数の光電変換素子の出力が所定値よりも小さいか否かで、前記給紙搬送手段により給紙、搬送される記録材がＯＨＴシートか否かを判定する第１判定手段と、前記複数の光電変換素子から出力された情報に基づいて、前記複数の光電変換素子により出力された情報が示す映像のコントラストを演算する演算手段と、前記複数の光電変換素子の出力が所定値よりも小さいことで前記第１判定手段により前記給紙搬送手段により給紙、搬送された記録材がＯＨＴシートであると判定された記録材に対して、前記演算手段で演算したコントラストの幅がインクジェット用ＯＨＴシートとみなす為の閾値未満であるレーザビームプリンタ用ＯＨＴシートに対応したものであるか、前記コントラストの幅が前記閾値以上であるインクジェット用ＯＨＴシートに対応したものであるかを判定する第２判定手段と、前記第２判定手段が、前記演算されたコントラストが前記レーザビームプリンタ用ＯＨＴシートに対応したものであると判定した場合には、前記レーザビームプリンタ用ＯＨＴシートに応じた定着温度設定を行い、前記第２判定手段が、前記演算されたコントラストが前記インクジェット用ＯＨＴシートに対応したものであると判定した場合には、前記定着装置の加熱を停止させるか、または通常定着時より加熱温度を下げるように制御する制御手段とを備えたことを特徴とする画像形成装置。
【発明の効果】
【００２０】
本発明によれば、ユーザが誤って規定外であるインクジェット用ＯＨＴシートなどを通紙した場合に生じる定着ローラへのＯＨＴシート巻きつきや記録紙上の画像劣化の問題を解決でき、信頼性の高い画像形成装置を提供できる。
【発明を実施するための最良の形態】
【００２１】
以下本発明を実施するための最良の形態を、実施例により詳しく説明する。
【実施例１】
【００２２】
図１は、実施例１である画像形成装置の概略構成を示す模式的断面図である。図１に示すように、画像形成装置１０１は、用紙カセット１０２、給紙ローラ１０３、転写ベルト駆動ローラ１０４、転写ベルト１０５、潜像担持体たる感光ドラム１０６〜１０９、転写手段たる転写ローラ１１０〜１１３、カートリッジ１１４〜１１７、光学ユニット１１８〜１２１、定着装置たる定着ユニット１２２等を有している。
【００２３】
画像形成装置１０１にあっては、電子写真プロセスを用い記録材たる記録紙の上にイエロー、マゼンタ、シアン、ブラックの各色のトナー画像を重ねて転写し、定着ユニット１２２の定着ローラ（図示せず）によって前記記録紙を所定温度で加熱すると共に加圧することにより前記トナー画像を前記記録紙に定着させる。
【００２４】
各色の光学ユニット１１８〜１２１は、各感光ドラム１０６〜１０９の表面をレーザビームによって露光走査して潜像を形成するよう構成され、これら一連の画像形成動作は搬送される記録紙上の予め決まった位置から画像が転写されるよう同期をとって走査制御している。各感光ドラム１０６〜１０９の表面に形成された潜像は、カートリッジ１１４〜１１７に備えられた現像装置（図示せず）によって各色の現像剤たるトナーによってトナー画像として可視化される。
【００２５】
又、画像形成装置１０１は、記録紙を給紙及び搬送する給紙モータ（図示せず）と、転写ベルト駆動ローラ１０４を駆動する転写ベルト駆動モータ（図示せず）と、各色感光ドラム１０６〜１０９及び転写ローラ１１０〜１１３を駆動する感光ドラム駆動モータ（図示せず）と、前記定着ローラを駆動する定着駆動モータ（図示せず）とを備えている。
【００２６】
更に、画像形成装置１０１は、映像読取センサ１２３を備え、映像読取センサ１２３は、給紙ローラ１０３によって用紙カセット１０２から給紙され搬送される記録紙の表面に光を照射させて、その反射光を集光し結像させて、記録紙のある特定エリアの映像を検出するようになっている。
【００２７】
次に、図２を用いて、映像読取センサ１２３の構造について説明する。
映像読取センサ１２３は、図２に示すように、光照射手段たるＬＥＤ３３、読取手段たるＣＭＯＳセンサ３４、結像レンズたるレンズ３５，集光レンズたるレンズ３６等を有している。
【００２８】
ＬＥＤ３３を光源とする光は、レンズ３５を介し、記録紙搬送ガイド３１表面、或いは、記録紙搬送ガイド３１上の記録紙３２表面に対し照射される。
【００２９】
記録紙搬送ガイド３１あるいは記録紙３２からの反射光は、レンズ３６を介し集光されてＣＭＯＳセンサ３４に結像される。これによって、記録紙搬送ガイド３１或いは記録紙３２の表面映像を読み取る。
【００３０】
本実施例では、ＬＥＤ３３は、ＬＥＤ光が記録紙３２表面に対し、図２に示すように所定の角度をもって斜めより光を照射させるよう配置されている。
【００３１】
図３は、映像読取センサ１２３のＣＭＯＳセンサ３４によって読み取られるＯＨＴ記録紙の表面とＣＭＯＳセンサ３４からの出力を８×８ピクセルにデジタル処理した例との関係を示す図である。
【００３２】
前記デジタル処理は、ＣＭＯＳセンサ３４からのアナログ出力を変換手段たるＡ／Ｄ変換（図示せず）によって８ビットのピクセルデータに変換することによって行われる。
【００３３】
図３において、４１はインクジェット用ＯＨＴシートであり、４２はＬＢＰ用ＯＨＴシートである。
【００３４】
インクジェット用ＯＨＴシート４１は表面に定着剤４３が塗布されている。
【００３５】
ＣＭＯＳセンサ３４に読み込まれたこれらの映像が、デジタル処理され図３に示す映像４４、４５となる。
【００３６】
ＯＨＴシート表面は、照射光が乱反射することにより、画像４４、４５のように明るい個所（図中白い部分）と暗い個所（図中黒い部分）が検出される。インクジェット用ＯＨＴシート表面は、定着剤によって凹凸が生じ、これによって照射光が乱反射し易くなり、その映像のコントラストが高くなっている。一方、ＬＢＰ用ＯＨＴシートは表面が略平らであるがために、斜め照射光はインクジェット用ＯＨＴシートより乱反射せず、その映像のコントラストは低くなっている。コントラストは検出結果の最大値と最小値の差を演算することにより算出することが出来る。これにより表面の凹凸の大きさを検出することが出来る。
【００３７】
ここでグラフ１はインクジェット用ＯＨＴシート８種類（Ａ〜Ｆ）とＬＢＰ用ＯＨＴシート３種類（ａ〜ｃ）の検出結果からコントラストを算出し、グラフ化したものである。
【００３８】
グラフ１に示したようにＬＢＰ用ＯＨＴシートのコントラスト範囲は５００〜７００データくらいと狭い範囲であるのに対し、インクジェット用ＯＨＴシートのコントラスト範囲は１５００〜２５００データと広範囲になっているのが判る。
【００３９】
従って、コントラスト範囲に閾値を設けることで、ＬＢＰ用ＯＨＴシートとインクジェット用ＯＨＴシートを判別することが出来る。本実施例ではコントラスト範囲が１０００データ以上のときインクジェット用ＯＨＴシートと見なし、規定外のＯＨＴとした。
【００４０】
このように、インクジェット用ＯＨＴシートとＬＢＰ用ＯＨＴシートでは、定着剤の有無によってＯＨＴシート表面の凹凸が異なるため、斜めに照射した光による乱反射成分と正反射成分の割合が異なり、ＣＭＯＳセンサ３４に読み込まれた映像のコントラスト範囲が異なる。
【００４１】
また、インクジェット用ＯＨＴシートを裏返しにしても、定着剤による乱反射光をＣＭＯＳセンサ３４が検出するため、４４と同じ映像のコントラスト範囲を得られる。
【００４２】
このコントラスト範囲の比較の結果、インクジェット用ＯＨＴシートとＬＢＰ用ＯＨＴシートの判別が可能となる。
【００４３】
画像比較に関しては、プリンターのＣＰＵ（不図示）あるいは画像処理をするＤＳＰ（ＤｉｄｉｔａｌＳｉｇｎａｌ  Ｐｒｏｃｅｓｓｏｒ、不図示）によって行われ、あらかじめ設定してあるインクジェット用ＯＨＴシートの画像とＬＢＰ用ＯＨＴシートの画像とを比較し判定する。
【００４４】
また、ハード回路によって比較演算を行い、その結果をＣＰＵあるいはＤＳＰへ通知してもよい。
【００４５】
次に、図４を用いて画像形成装置１０１に備えられた定着処理条件制御手段たる制御プロセッサによる制御フローについて説明する。
【００４６】
先ず、ＬＥＤ３３を点灯させ（Ｓｔｅｐ５０、Ｓ５０と表記する、以下同様）、ＣＭＯＳセンサ３４が記録紙の映像を読み込む（Ｓ５１）。前記映像の読み込みは複数回にわたり前記記録紙上の複数箇所において読み込む。
【００４７】
そして、ＬＥＤ３３を消灯させた後（Ｓ５２）、ＯＨＴシートであるかどうか判定する（Ｓ５３）。
【００４８】
この判定は、ＣＭＯＳセンサ３４の受光光量の差によって行う。すなわち、ＯＨＴシートは透明なので、ＯＨＴシートを透過して記録紙搬送ガイド３１で反射した光をＣＭＯＳセンサ３４で受光することになり、通常の用紙の場合より反射率が低く受光光量が小さくなる。そこで受光光量が小さく、ＣＭＯＳセンサ３４の出力が所定値より小さい場合には、ＯＨＴシートと判定する。
【００４９】
ここでＯＨＴシート以外の場合は別ルーチンに進み、ＯＨＴシートの場合は本実施例のルーチンに進み、定着条件制御手段に備えられたゲイン調整手段及びフィルタ演算手段（図示せず）のゲイン演算及びフィルタ演算のための定数を調整する（Ｓ５４）。このゲイン演算及びフィルタ演算は、制御プロセッサによってプログラマブルに処理される。
【００５０】
例えば、ゲイン演算は、ＣＭＯＳセンサ３４からのアナログ出力のゲインを調整することによって行う。つまり、記録紙表面より反射される反射光量が多すぎるとき、或いは、逆に少なすぎるときは、記録紙表面の映像がよく読み取れない、即ち映像の変化が導けない場合には、ゲインを調整する。
【００５１】
又、フィルタ演算は、ＣＭＯＳセンサ３４からのアナログ出力をＡ／Ｄ変換し８ビット、２５６階調のディジタルデータとしたときに、例えば、１／３２，１／１６，１／４等の演算によって行う。つまり、ＣＭＯＳセンサ３４からの出力のノイズ成分を除去させる。
【００５２】
そして、次の映像比較演算する上で十分な映像情報が得られるか否かを判定し（Ｓ５５）、十分な映像情報が得られると判定された場合には後述の映像撮影し（Ｓ５６）、映像撮影後に映像のコントラスト範囲を演算比較（Ｓ５７）する。この映像比較演算結果に基づき紙種を判定し（Ｓ５８）、その紙種に応じた定着温度を設定する（Ｓ５９）。一方、インクジェット用ＯＨＴシートと判断した場合は、定着温度制御および装置の記録紙搬送制御など、一連の画像処理動作を停止する（Ｓ６０）。
【００５３】
前述したように、本実施例によれば、給紙、搬送された記録紙の表面状態を映像で検出し、その結果からインクジェット用ＯＨＴシートであるかＬＢＰ用ＯＨＴシートであるか判定する判定手段を備え、インクジェット用ＯＨＴシートであれば、定着装置へ記録紙が搬送される前で搬送および画像形成動作を停止し、定着装置へのＯＨＴシート巻きつきあるいはジャムを未然に防止するものである。
【００５４】
なお、実施例では、感光体から記録材に直接画像を転写しているが、これに限らず、感光体から中間転写材を介して記録材に画像を転写する形で同様に実施することができる。
【実施例２】
【００５５】
図５は、実施例２である“画像形成装置”の制御フローを示す図である。
図中、Ｓ５０〜Ｓ５９の処理は実施例１におけるＳ５０〜Ｓ５９の処理と同じであるため説明を省略する。
【００５６】
インクジェット用ＯＨＴシートと判断した場合は定着装置の温度調整を停止するか、もしくは通常の温度調整値よりも低い温度に設定する（Ｓ６１）。
【００５７】
このように本実施例は、規定の記録紙以外であるインクジェット用ＯＨＴシートと判断した場合は、搬送を停止せず定着装置の温度調整を停止させてインクジェット用ＯＨＴシートを定着せずに排紙することを特徴とする。
【００５８】
あるいは、定着装置の温調温度を通常プリント時よりも低く設定してもよい。
【００５９】
例えば、搬送を停止してしまうと、ユーザは画像形成装置のカバーを開けて給紙途中のＯＨＴシートを取り除く必要があるため操作性が悪くなるといった問題がある。
【００６０】
本実施例は、前記ユーザの負担を低減し、かつ実施例１同様の効果を実現できることを特徴とする。
【実施例３】
【００６１】
図６は、実施例３である“画像形成装置”の表示手段を示す図である。図６において、８０１は画像形成装置の操作パネルである。
画像形成装置１０１は、図示しないホストコンピュータからの指示に伴い、操作パネル８０１より設定された印字条件に基づき、記録紙を指定された給紙カセットより給紙し、所望の画像を記録紙に印字する。
【００６２】
一方、操作パネル８０１は、ユーザが任意に印字条件を設定するキー操作部８０２と、画像形成装置の状態およびユーザが選択する各種モードの表示を行う表示部８０３より構成される。
【００６３】
例えば、画像形成装置が印字可能状態にあるときは、表示部８０３は“ＲＥＡＤＹ”を表示し、装置にジャムが発生したときは、表示部８０３に“ＪＡＭ”表示などの表示を行いユーザに報知する。
【００６４】
ユーザが誤って、規定外である記録紙を画像形成装置１０１の給紙部にセットし、プリント指示した場合、画像形成装置１０１は給紙、搬送された記録紙の表面画像は、実施例１および２で説明した映像読取センサ１２３のＣＭＯＳセンサ３４によって読み取られ、その結果から規定外であるか否かを判定する。このとき規定外であると、表示部８０３に“ＩＬＬＥＧＡＬ  ＰＡＰＥＲ”の表示を行う。
【００６５】
画像形成装置が前記のように表示部を有しない場合は、画像形成装置に接続するＰＣ（図示せず）に表示してもよい。
【００６６】
前述したように、本実施例によれば、ユーザが誤って規定の記録紙以外の記録紙をセットした場合において、表示手段によって規定外の記録紙がセットされたことを報知することで、ユーザフレンドリなる画像形成装置を提供することを特徴とする。
【図面の簡単な説明】
【００６７】
【図１】実施例１である画像形成装置の概略構成を示す模式的断面図
【図２】実施例１で用いる映像読取センサの概略構成を示す図
【図３】映像読取センサによって読み取られたインクジェット用ＯＨＴシートの表面画像およびＬＢＰ用ＯＨＴシートの表面画像を、デジタル処理した例を示す図
【図４】実施例１における処理を示すフローチャート
【図５】実施例２における処理を示すフローチャート
【図６】実施例３におけるユーザへの報知手段の概略構成を示す図
【符号の説明】
【００６８】
３２    記録紙
３３    光照射手段たるＬＥＤ
１２２    定着ユニット
１２３    映像読取センサ
【図１】
0004741811.tif 000002
【図２】
0004741811.tif 000003
【図４】
0004741811.tif 000004
【図５】
0004741811.tif 000005
【図６】
0004741811.tif 000006
【図３】
0004741811.tif 000007